(57)【要約】【課題】部品の標準化が可能で、ランプの意匠変更に容易に対応できるＬＥＤ用の配線具を提供する。【解決手段】一対の圧接端子２０，２０と、圧接端子及びＬＥＤ３０を収容保持するハウジング１０とを具備し、各圧接端子には、圧接スリット２１Ｓを有する２枚の圧接刃２１，２１が設けられ、同一の圧接スリットの入口側と奥側にＬＥＤのリード３２の圧接部と電線Ｗａの圧接部が設けられている。ＬＥＤのリードをＬ字形に折り曲げて、その先端側の直線部３２ａと電線Ｗａを圧接スリットに順番に圧接する。【選択図】図３
2008140727.tif 000002
【特許請求の範囲】
【請求項１】
２本のリードを有するＬＥＤを電線に接続するためのＬＥＤ用の配線具であって、
前記リードを圧接するリード圧接部と該リードに導通させる電線を圧接する電線圧接部とを有する一対の圧接端子と、前記一対の圧接端子を収容保持すると共に前記ＬＥＤを収容保持する絶縁材料製のハウジングと、を具備することを特徴とするＬＥＤ用の配線具。
【請求項２】
請求項１に記載のＬＥＤ用の配線具であって、
前記圧接端子に、圧接スリットを有する圧接刃が設けられており、同一の前記圧接スリットの入口側と奥側に前記リード圧接部と電線圧接部とが設けられていることを特徴とするＬＥＤ用の配線具。
【請求項３】
請求項２に記載のＬＥＤ用の配線具であって、
前記圧接スリットの奥側に幅の狭い前記リード圧接部が設けられると共に、前記圧接スリットの入口側に前記リード圧接部より幅の広い前記電線圧接部が設けられていることを特徴とするＬＥＤ用の配線具。
【請求項４】
請求項３に記載のＬＥＤ用の配線具であって、
前記圧接刃が、１本のリード及び１本の電線あたり複数枚設けられており、その複数枚の圧接刃が、互いに間隔をおいて平行に並べられて１つの圧接端子上に配置されていることを特徴とするＬＥＤ用の配線具。
【請求項５】
請求項２〜４のいずれか１項に記載のＬＥＤ用の配線具であって、
前記ハウジングが、前記一対の圧接端子を挿入すると共に前記ＬＥＤを挿入するための開口を有したハウジング本体と、前記圧接端子にＬＥＤのリードと電線を圧接した後にハウジング本体の開口を塞ぐようにハウジング本体に結合されることで、前記リード及び電線の圧接部を保護するカバーと、から構成されていることを特徴とするＬＥＤ用の配線具。
【請求項６】
請求項５に記載のＬＥＤ用の配線具であって、
上面に開口を有するハウジング本体の底板に、ＬＥＤの本体部を垂直に挿入するための挿入孔が設けられると共に、前記ハウジング本体の内部に、前記底板に対して圧接刃を垂直に立てるような姿勢で前記圧接端子を収容する端子収容部が設けられており、前記ＬＥＤの２本のリードをＬ字形に折り曲げて、その折り曲げた先端側の直線部を前記ハウジング本体の底板と平行な姿勢で前記圧接刃の圧接スリットに挿入することで前記リードを圧接端子に圧接し、更にその上で電線をハウジング本体の底板と平行な姿勢で圧接刃の圧接スリットに挿入することで電線を圧接端子に圧接するように構成されていることを特徴とするＬＥＤ用の配線具。
【請求項７】
請求項１〜６のいずれか１項に記載のＬＥＤ用の配線具の前記ハウジングにＬＥＤを装着すると共に、前記一対の圧接端子に、それぞれＬＥＤの各リードを圧接接続したことを特徴とするＬＥＤ圧接ユニット。
【請求項８】
請求項７に記載のＬＥＤ圧接ユニットの前記一対の圧接端子に、それぞれ電線を圧接接続したことを特徴とするＬＥＤ付き配線ユニット。
【発明の詳細な説明】
【技術分野】
【０００１】
本発明は、ＬＥＤ（発光ダイオード）式の自動車のリアコンビネーションランプ等に適用される技術に関し、ＬＥＤを容易に電線と接続することのできるＬＥＤ用の配線具、その配線具にＬＥＤを予め組み付けたＬＥＤ圧接ユニット、そのＬＥＤ圧接ユニットを予め電線に組み付けたＬＥＤ付き配線ユニットに関するものである。
【背景技術】
【０００２】
例えば、自動車のリアコンビネーションランプには多くのＬＥＤが用いられており、従来では配線板やブスバー等を用いて、ＬＥＤを所定のランプデザインとなるように配置し配線している（例えば、特許文献１参照）。
【０００３】
図６は、従来のリアコンビネーションランプの構成例を示している。図において、１０１は樹脂製の配線板、１０２はブスバー、１０３はＬＥＤ、１０４はブスバーを固定するための樹脂ボスであり、配線板１０１にブスバー１０２を配索し、樹脂ボス１０４を熱溶着することでブスバー１０２を固定し、ＬＥＤ１０３とブスバー１０２を溶接で接続し、各ブスバー１０２に図示しないリード線を接続している。
【特許文献１】特開２００６−２１０１８７号公報
【発明の開示】
【発明が解決しようとする課題】
【０００４】
ところで、車両の意匠変更などに伴って、ランプのデザインも種々に変わるが、従来では、上述のように、配線板１０１やブスバー１０２等のランプデザイン固有の部品を多く使用しているので、部品の標準化が困難であり、意匠変更のたびに配線板１０１やブスバー１０２を個別に用意しなくてはならず、コスト高になるという問題があった。また、配線板１０１へのブスバー１０２の固定、ブスバー１０２へのＬＥＤ１０３の溶接、ブスバー１０２へのリード線の接続、などの工程が個別に必要であるため、組立が面倒でコストがかかるという問題もあった。
【０００５】
本発明は、上記事情を考慮し、部品の標準化が可能で、ランプの意匠変更に対する対応が容易であり、リアコンビネーションランプ等を製造する場合の組立性の向上が図れて、コストダウンが可能なＬＥＤ用の配線具、ＬＥＤ圧接ユニット、及びＬＥＤ付き配線ユニットを提供することを目的とする。
【課題を解決するための手段】
【０００６】
請求項１の発明は、２本のリードを有するＬＥＤを電線に接続するためのＬＥＤ用の配線具であって、前記リードを圧接するリード圧接部と該リードに導通させる電線を圧接する電線圧接部とを有する一対の圧接端子と、前記一対の圧接端子を収容保持すると共に前記ＬＥＤを収容保持する絶縁材料製のハウジングと、を具備することを特徴とする。
【０００７】
請求項２の発明は、請求項１に記載のＬＥＤ用の配線具であって、前記圧接端子に、圧接スリットを有する圧接刃が設けられており、同一の前記圧接スリットの入口側と奥側に前記リード圧接部と電線圧接部とが設けられていることを特徴とする。
【０００８】
請求項３の発明は、請求項２に記載のＬＥＤ用の配線具であって、前記圧接スリットの奥側に幅の狭い前記リード圧接部が設けられると共に、前記圧接スリットの入口側に前記リード圧接部より幅の広い前記電線圧接部が設けられていることを特徴とする。
【０００９】
請求項４の発明は、請求項３に記載のＬＥＤ用の配線具であって、前記圧接刃が、１本のリード及び１本の電線あたり複数枚設けられており、その複数枚の圧接刃が、互いに間隔をおいて平行に並べられて１つの圧接端子上に配置されていることを特徴とする。
【００１０】
請求項５の発明は、請求項２〜４のいずれか１項に記載のＬＥＤ用の配線具であって、前記ハウジングが、前記一対の圧接端子を挿入すると共に前記ＬＥＤを挿入するための開口を有したハウジング本体と、前記圧接端子にＬＥＤのリードと電線を圧接した後にハウジング本体の開口を塞ぐようにハウジング本体に結合されることで、前記リード及び電線の圧接部を保護するカバーと、から構成されていることを特徴とする。
【００１１】
請求項６の発明は、請求項５に記載のＬＥＤ用の配線具であって、上面に開口を有するハウジング本体の底板に、ＬＥＤの本体部を垂直に挿入するための挿入孔が設けられると共に、前記ハウジング本体の内部に、前記底板に対して圧接刃を垂直に立てるような姿勢で前記圧接端子を収容する端子収容部が設けられており、前記ＬＥＤの２本のリードをＬ字形に折り曲げて、その折り曲げた先端側の直線部を前記ハウジング本体の底板と平行な姿勢で前記圧接刃の圧接スリットに挿入することで前記リードを圧接端子に圧接し、更にその上で電線をハウジング本体の底板と平行な姿勢で圧接刃の圧接スリットに挿入することで電線を圧接端子に圧接するように構成されていることを特徴とする。
【００１２】
請求項７の発明のＬＥＤ圧接ユニットは、請求項１〜６のいずれか１項に記載のＬＥＤ用の配線具の前記ハウジングにＬＥＤを装着すると共に、前記一対の圧接端子に、それぞれＬＥＤの各リードを圧接接続したことを特徴とする。
【００１３】
請求項８の発明のＬＥＤ付き配線ユニットは、請求項７に記載のＬＥＤ圧接ユニットの前記一対の圧接端子に、それぞれ電線を圧接接続したことを特徴とする。
【発明の効果】
【００１４】
請求項１の発明によれば、１つの圧接端子にＬＥＤのリードと電線を一緒に圧接するようにしたので、電線とＬＥＤを最小部品数で容易に相互接続することができる。また、ハウジングと圧接端子をＬＥＤ毎に用意することにより、小型の部品として標準化することが可能であり、被覆電線上の任意の箇所にＬＥＤを配置することができる。従って、電線の配索の仕方やその電線のどこにＬＥＤを配置するかによって、ＬＥＤの配置変えを自由に行うことができ、ランプの意匠変更に低コストで対応できる。また、ＬＥＤのリードの圧接と電線の圧接だけでランプの組立を完了できるので、生産性の向上が図れ、コスト低減を図ることができる。
【００１５】
請求項２の発明によれば、圧接刃に設けた１本のスリットにＬＥＤのリードと電線を一緒に圧接するので、圧接工程の簡略化が図れると共に、圧接端子のコンパクト化が図れる。従って、配線具の小型化が可能となり、ランプの小型化に寄与できる。
【００１６】
請求項３の発明によれば、ＬＥＤのリードを先に圧接した後、電線を圧接することができる。つまり、先にＬＥＤを組み付けてユニット化した上で、電線の任意の箇所にＬＥＤを組み付けることができ、組立性の向上が図れる。
【００１７】
請求項４の発明によれば、１つの圧接端子上に設けた複数枚の圧接刃に１本のリードと電線を圧接するので、圧接箇所の保持安定性が増し、接続信頼性の向上が図れる。
【００１８】
請求項５の発明によれば、ハウジングの開口を通して、リード及び電線を圧接端子の圧接部に圧接することができ、その後、カバーを被せて開口を塞ぐことにより、リード及び電線の圧接接続部を安全に保護することができる。
【００１９】
請求項６の発明によれば、一対の圧接端子をハウジング内の端子収容部に収容し、ＬＥＤの本体部をハウジングの底板の挿入孔に挿入し、Ｌ字形に折り曲げたＬＥＤのリードの先端直線部と電線を圧接端子の圧接刃に圧接接続することにより、コンパクトで安定した形で、ＬＥＤを電線上に導通状態で配設することができる。
【００２０】
請求項７の発明によれば、ＬＥＤのリードを接続した圧接端子に電線を圧接することにより、電線上の任意の位置にＬＥＤを配置することができる。従って、ランプの意匠変更に対し、ＬＥＤ圧接ユニットの配置を変えるだけで柔軟に対応でき、余計な金型変更などが全く不要であり、コストがかからない。
【００２１】
請求項８の発明によれば、電線上に予めＬＥＤを組み付けてあるので、電線の配索の仕方を工夫するだけで、任意のデザインのランプを製作することができる。
【発明を実施するための最良の形態】
【００２２】
以下、本発明の実施形態を図面を参照して説明する。
【００２３】
図１は実施形態のＬＥＤ配線具、ＬＥＤ圧接ユニット、及びＬＥＤ付き配線ユニットの構成を示す分解斜視図である。図２は図１のＩＩ部の拡大正面図、図３はＬＥＤ付き配線ユニットの構成を示す分解斜視図、図４はＬＥＤ付き配線ユニットの要部外観を示す斜視図、図５は図４のＶ−Ｖ矢視断面図である。
【００２４】
図１に示すように、ＬＥＤ用の配線具は、一対の圧接端子２０，２０と、それらを収容保持すると共にＬＥＤ３０を収容保持する絶縁材料製のハウジング１０と、からなる。ＬＥＤ圧接ユニットは、そのＬＥＤ用の配線具にＬＥＤ３０を装着したもの、ＬＥＤ付き配線ユニットは、更にそのＬＥＤ圧接ユニットをフラットケーブルＷ上に装着したものである。
【００２５】
ＬＥＤ３０は、先端にレンズ部を有した砲弾型のモールドタイプのもので、本体部３１の基端面から２本のリード３２，３２を平行に延ばしている。２本の各リード３２，３２は、基端に近い位置でＬ字形に折り曲げられており、先端側の直線部３２ａが互いに平行に延びている。
【００２６】
ハウジング１０は、一対の圧接端子２０，２０を挿入すると共にＬＥＤ３０を挿入するための開口を上面に有したハウジング本体１１と、圧接端子２０にＬＥＤ３０のリード３２と電線Ｗａを圧接した後に、ハウジング本体１１の開口を塞ぐようにハウジング本体１１に結合されて、それにより、リード３２及び電線Ｗａの圧接部を保護するカバー１２と、から構成されている。
【００２７】
ハウジング本体１１は、底板１１ａと、２枚の側板１１ｂ，１１ｂとを有する樋状に形成され、片方の端面のみに端面板１１ｃが設けられ、もう一方の端面は開放されている。端面板１１ｃには、上から電線Ｗａを挿入するための２本の電線保持溝１４，１４が設けられている。ハウジング本体１１の底板１１ａには、ＬＥＤ３０の本体部３１を垂直に挿入するための挿入孔１９が設けられている。また、ハウジング本体１１の内部には、２つの圧接端子２０を、互いに絶縁された状態で収容保持するための端子収容部１３が設けられている。
【００２８】
カバー１２は、ハウジング１１の上面の開口を覆う上板１２ａと、上板１２ａの長手方向両端に垂下された端面板１２ｃとを有している。これら端面板１２ｃには、それぞれ２本の電線挿通溝１５，１５が形成されている。一方の端面板１２ｃは、ハウジング本体１１側の端面板１１ｃの外側に重なり、他方の端面板１２ｃは、ハウジング本体１１の開放された方の端面を塞ぐようになっている。
【００２９】
ハウジング本体１１の側板１１ｂとカバー１２の側縁には、互いに係合することで、ハウジング本体１１とカバー１２をロックするロック突起１７と可撓ロック枠１８とが設けられている。カバー１２側の可撓ロック枠１８は、ハウジング本体１１の側板１１ｂの枠状リブ１６の内側に収容されることで位置決めされる。
【００３０】
圧接端子２０は、側面視略Ｕ字状のもので、上半部に、互いに平行に並んだ２枚の圧接刃２１を有し、下半部に、前記端子収容部１３に装着して固定するための固定部２２を有している。そして、端子収容部１３に固定部２２を嵌めることで、２枚の圧接刃２１，２１が、ハウジング本体１１の底板１１ａに対して垂直な姿勢で保持されるようになっている。
【００３１】
各圧接刃２１は、上端から適当な長さに垂直に形成された１本の圧接スリット２１Ｓを有している。図２に示すように、この圧接スリット２１Ｓには、ＬＥＤ３０のリード３２を圧接するリード圧接部２１Ｓａと、該リード３２に導通させる電線Ｗａを圧接する電線圧接部２１Ｓｂとが設けられている。つまり、同一の圧接スリット２１Ｓの奥側と入口側に、リード圧接部２１Ｓａと電線圧接部２１Ｓｂとが設けられており、リード圧接部２１Ｓａのスリット幅よりも電線圧接部２１Ｓｂのスリット幅の方が若干大きく形成されている。
【００３２】
なお、図２に示すように、リード圧接部２１Ｓａのスリット幅よりも電線圧接部２１Ｓｂのスリット幅の方が若干大きいとは限らない。どちらか細い方が下側のスリット（２１Ｓａ）に接続されるようになっている。また、２つの圧接端子２０，２０がハウジング本体１１の各端子収容部１３に適正に装着された状態で、図５に示すように、各圧接端子２０の圧接刃２１の位置は左右方向にずれており、２本の平行な電線Ｗａに反対の圧接刃２１が決して干渉しないようになっている。
【００３３】
次に、ＬＥＤ圧接ユニットやＬＥＤ付き配線ユニットを構成する場合について説明する。その場合は、図１、図３に示すように、まず、ＬＥＤ３０の２本のリード３２をＬ字形に折り曲げて、その折り曲げた先端側の直線部３２ａを、ハウジング本体１１の底板１１ａと平行な姿勢で、圧接刃２１の圧接スリット２１Ｓに挿入し、それにより、リード３２を圧接端子２０に圧接する。更にその上で、フラットケーブルＷより部分的に切り離した電線Ｗａを、ハウジング本体１１の底板１１ａと平行な姿勢で、圧接刃２１の圧接スリット２１Ｓに挿入し、それにより、電線（Ｗａ）を圧接端子（２０）に圧接する。そして、その状態で、ハウジング本体１１の開口をカバー１２で塞いでロックさせることにより、図４、図５に示すようなＬＥＤ付き配線ユニットを構成することができる。
【００３４】
以上のように、１つの圧接端子２０に、ＬＥＤ３０のリード３２と電線Ｗａを一緒に圧接するようにしているので、電線ＷａとＬＥＤ３０を最小部品数で容易に相互接続することができる。また、ハウジング１０と圧接端子２０をＬＥＤ３０毎に用意することにより、小型の部品として標準化することが可能であり、フラットケーブルＷ（被覆電線）上の任意の箇所にＬＥＤ３０を配置することができる。従って、フラットケーブルＷの配索の仕方やそのフラットケーブルＷのどこにＬＥＤ圧接ユニットを配置するかによって、ＬＥＤ３０の配置変えを自由に行うことができ、ランプの意匠変更に低コストで対応できる。また、ＬＥＤ３０のリード３２の圧接と電線Ｗａの圧接だけでランプの組立を完了できるので、生産性の向上が図れ、コスト低減を図ることができる。
【００３５】
また、各圧接刃２１に設けた１本の圧接スリット２１ＳにＬＥＤ３０のリード３２と電線Ｗａを一緒に圧接するので、圧接工程の簡略化が図れると共に、圧接端子２０のコンパクト化が図れる。従って、配線具の小型化が可能となり、ランプの小型化に寄与できる。
【００３６】
また、ＬＥＤ３０のリード３２を先に圧接した後で電線Ｗａを圧接するので、先にＬＥＤ３０を組み付けてユニット化（ＬＥＤ圧接ユニット化）した上で、フラットケーブルＷの任意の箇所にそのユニットを組み付けることができ、組立性の向上が図れる。また、１つの圧接端子２０上に設けた２枚の圧接刃２１，２１に１本のリード３２と電線Ｗａを圧接するので、圧接箇所の保持安定性が増し、接続信頼性の向上が図れる。また、ハウジング本体１１の開口を通してリード３２及び電線Ｗａを圧接端子２０の圧接刃２１に圧接した後、カバー１２を被せて開口を塞ぐので、リード３２及び電線Ｗａの圧接接続部を安全に保護することができる。
【００３７】
また、組み立ての際には、一対の圧接端子２０，２０をハウジング本体１１内の端子収容部１３に収容し、ＬＥＤ３０の本体部３１をハウジング本体１１の底板１１ａの挿入孔１９に挿入し、Ｌ字形に折り曲げたＬＥＤ３０のリード３２の先端直線部３２ａと電線Ｗａを圧接端子２０の圧接刃２１に圧接接続することにより、コンパクトで安定した形で、ＬＥＤ３０を電線Ｗａ上に導通状態で配設することができるので、組立が簡単にできる。
【００３８】
また、前述したように、予めＬＥＤ用の配線具にＬＥＤ３０を組み付けた状態でユニット化（ＬＥＤ圧接ユニット化）しておけば、後は圧接端子２０に電線Ｗａを圧接してカバー１２を被せるだけでよいので、電線Ｗａ上の任意の位置にＬＥＤ３０を容易に配置することができる。従って、ランプの意匠変更に対し、ＬＥＤ圧接ユニットの配置を変えるだけで柔軟に対応でき、余計な金型変更などが全く不要であり、コストがかからない。
【００３９】
また、最初からフラットケーブルＷ上にＬＥＤ圧接ユニットを組み付けて配線ユニット化しておけば、フラットケーブルＷの配索の仕方を工夫するだけで、任意のデザインのランプを製作することができる。
【００４０】
また、上記実施形態では、配線手段としてフラットケーブルＷを用いているので、フラットケーブルＷそれ自体を、従来の配線板の代替部品として使用することができる。
【００４１】
なお、上記においては最良の実施形態についてだけ示したが、本発明は、圧接刃が１つの圧接端子上に１枚しか存在しない場合、１つの圧接端子上にリード用の圧接スリットと電線用の圧接スリットが別に形成されている場合も含む。
【００４２】
また、このユニットを用いてリアコンビネーションランプを構成する場合は、例えば、ハウジング１０にリフレクタ（反射板）等に固定するための係合手段を設けておく。そうすれば、特別な取付手段を必要とせずに、ランプを組み立てることができる。
【図面の簡単な説明】
【００４３】
【図１】本発明の実施形態のＬＥＤ配線具、ＬＥＤ圧接ユニット、及びＬＥＤ付き配線ユニットの構成を示す分解斜視図である。
【図２】図１のＩＩ部の拡大正面図である。
【図３】実施形態のＬＥＤ付き配線ユニットの構成を示す分解斜視図でる。
【図４】実施形態のＬＥＤ付き配線ユニットの要部外観を示す斜視図である。
【図５】図４のＶ−Ｖ矢視断面図である。
【図６】従来のリアコンビネーションランプの概略構成を示す平面図である。
【符号の説明】
【００４４】
１０  ハウジング
１１  ハウジング本体
１１ａ  底板
１２  カバー
１３  端子収容部
１９  挿入孔
２０  圧接端子
２１  圧接刃
２１Ｓ  圧接スリット
２１Ｓａ  リード圧接部
２１Ｓｂ  電線圧接部
３０  ＬＥＤ
３１  本体
３２  リード
３２ａ  先端側直線部
Ｗ  フラットケーブル（電線）
Ｗａ  電線
【図１】
2008140727.tif 000003
【図２】
2008140727.tif 000004
【図３】
2008140727.tif 000005
【図４】
2008140727.tif 000006
【図５】
2008140727.tif 000007
【図６】
2008140727.tif 000008